(57)【特許請求の範囲】
【請求項１】
互いの接合端面が対向するように間隔をあけて設けた一対のプレキャストコンクリート梁を、互いの接合端面の間にコンクリートを打設して接合するプレキャストコンクリート梁の接合構造において、
それぞれの接合端面から先端部同士が対向するように突出した一対の主筋を重ね継ぎ手で接合するための添え筋を備えており、
該添え筋は、中央側に前記一対の主筋に重ね合わせる重ね継ぎ手部を有し、両端部側に前記重ね継ぎ手部に対して折れ曲がる折曲部を有して略Ｕ字状に形成され、前記重ね継ぎ手部を前記一対の主筋に対して梁の断面方向外側に配置し、前記折曲部を前記主筋と交差させて前記両端部をそれぞれ前記一対の主筋に対して梁の断面方向内側に配置するように設置されていることを特徴とするプレキャストコンクリート梁の接合構造。
【発明の詳細な説明】
【技術分野】
【０００１】
本発明は、プレキャストコンクリート梁の接合構造に関する。
【背景技術】
【０００２】
従来、工期の短縮や、安全性の向上、品質の向上、ひいてはコスト縮減などの多くの利点を有することから、コンクリート系建築物の梁や柱を予め工場などで製作したプレキャストコンクリート（ＰＣａ）造とし、これらを現場で組み立てて建築物を構築することが行なわれている。
【０００３】
そして、このようなＰＣａ柱１やＰＣａ梁２、３を組み立てて建築物を構築する際には、例えば図４に示すように、二つのＰＣａ梁２、３をそれぞれ、梁スパンの中央部で間隔をあけ且つ接合端面２ａ、３ｂ同士が対向するようにＰＣａ柱１に設置し、両ＰＣａ梁２、３の間に現場打ちコンクリートＣを打設し、このコンクリートＣによって両ＰＣａ梁２、３を接合して一体化することが行われている。
【０００４】
また、このとき、接合端面２ａ、３ａから主筋２ｂ、３ｂを軸線Ｏ１方向外側に突出させて各ＰＣａ梁２、３を形成しておき、ＰＣａ柱１に設置した段階で、両ＰＣａ梁２、３の接合端面２ａ、３ａから突出する主筋２ｂ、３ｂ同士を機械式継ぎ手で接合したり、突出する互いの主筋２ｂ、３ｂに重ね合わせ且つ主筋２ｂ、３ｂに対して梁の断面方向内側に、添え筋（接合筋）４を配筋し、この添え筋４による重ね継ぎ手で主筋２ｂ、３ｂ同士を接合するようにしている（例えば、特許文献１参照）。そして、両ＰＣａ梁２、３の主筋２ｂ、３ｂ同士を機械式継ぎ手や重ね継ぎ手５で接合することによって、一方のＰＣａ梁２の主筋２ｂに生じる引張力が確実に他方のＰＣａ梁３の主筋３ｂに伝達するように、両ＰＣａ梁２、３を接合することが可能になる。
【特許文献１】特開２００７−７０９３０号公報
【発明の開示】
【発明が解決しようとする課題】
【０００５】
しかしながら、両ＰＣａ梁の主筋同士を機械式継ぎ手によって接合する場合には、機械式継ぎ手が高価であるため、施工費が高くなり、また、両ＰＣａ梁をＰＣａ柱に設置した段階で主筋同士がずれていると接合できなくなるため、ＰＣａ梁をＰＣａ柱に設置する際に高精度が要求されるなど、主筋同士の位置合わせに多大な労力を要するという問題があった。
【０００６】
一方、添え筋４による重ね継ぎ手５で主筋２ｂ、３ｂ同士を接合する場合には、ある程度主筋２ｂ、３ｂ同士のずれを許容でき、比較的容易に主筋２ｂ、３ｂ同士を接合することが可能である反面、主筋２ｂ、３ｂに対して梁の断面方向内側に添え筋４が配筋されているため、図５に示すように、梁に鉛直荷重が作用して引張や曲げ、せん断応力が発生した際に、両ＰＣａ梁２、３の接合端面２ａ、３ａから外側に突出する主筋２ｂ、３ｂの先端部２ｃ、３ｃや添え筋４の両端部４ａのカットオフ位置のコンクリートＣに集中応力が生じて、このカットオフ位置のコンクリート（現場打ちコンクリート）Ｃにひび割れＳが集中的に発生するという問題があった。
【０００７】
本発明は、上記事情に鑑み、プレキャストコンクリート梁の接合端面から突出する主筋同士を添え筋による重ね継ぎ手で接合する場合においても、プレキャストコンクリート梁同士を接合するコンクリートにひび割れが発生することを防止して、プレキャストコンクリート梁同士を好適に接合することが可能なプレキャストコンクリート梁の接合構造を提供することを目的とする。
【課題を解決するための手段】
【０００８】
上記の目的を達するために、この発明は以下の手段を提供している。
【０００９】
本発明のプレキャストコンクリート梁の接合構造は、互いの接合端面が対向するように間隔をあけて設けた一対のプレキャストコンクリート梁を、互いの接合端面の間にコンクリートを打設して接合するプレキャストコンクリート梁の接合構造において、それぞれの接合端面から先端部同士が対向するように突出した一対の主筋を重ね継ぎ手で接合するための添え筋を備えており、該添え筋は、中央側に前記一対の主筋に重ね合わせる重ね継ぎ手部を有し、両端部側に前記重ね継ぎ手部に対して折れ曲がる折曲部を有して略Ｕ字状に形成され、前記重ね継ぎ手部を前記一対の主筋に対して梁の断面方向外側に配置し、前記折曲部を前記主筋と交差させて前記両端部をそれぞれ前記一対の主筋に対して梁の断面方向内側に配置するように設置されていることを特徴とする。
【００１０】
この発明においては、一対のプレキャストコンクリート梁の接合端面から突出した主筋同士を添え筋による重ね継ぎ手で接合する場合においても、重ね継ぎ手部を一対の主筋に対して梁の断面方向外側に配置して添え筋が設置されているため、梁に鉛直荷重が作用して引張応力、曲げ応力、せん断応力が発生した際に、主筋の先端部のカットオフ位置のコンクリートに生じる集中応力を重ね継ぎ手部で受け止め、添え筋を通じてコンクリートの広範に分散させることが可能になる。また、添え筋の両端部が折曲部によって一対の主筋に対して梁の断面方向内側に配置されているため、添え筋の両端部のカットオフ位置のコンクリートに集中応力が生じた場合においても、この集中応力を、折曲部や一対の主筋を通じて広範のコンクリートに分散させることができる。
【発明の効果】
【００１１】
本発明のプレキャストコンクリート梁の接合構造によれば、一対のプレキャストコンクリート梁の接合端面から突出した一対の主筋の先端部や添え筋の両端部のカットオフ位置のコンクリートに生じる集中応力を、添え筋や主筋を通じてコンクリートに分散させることが可能になるため、プレキャストコンクリート梁の接合端面から突出する一対の主筋を添え筋による重ね継ぎ手で接合した場合においても、プレキャストコンクリート梁同士を接合するコンクリートにひび割れが発生することを確実に防止し、一対のプレキャストコンクリート梁を好適に接合することが可能になる。
【発明を実施するための最良の形態】
【００１２】
以下、図１から図３を参照し、本発明の一実施形態に係るプレキャストコンクリート梁の接合構造について説明する。
【００１３】
はじめに、本実施形態では、図１に示すように、所定位置に設置した一対のプレキャストコンクリート柱（ＰＣａ柱）１に、二つのプレキャストコンクリート梁（一対のＰＣａ梁）２、３が、梁スパンの中央部で互いの接合端面２ａ、３ａが対向するように間隔をあけ、図示せぬ支保工などで仮受け支持して設置される。
【００１４】
また、各ＰＣａ梁２、３は、接合端面２ａ、３ａから軸線Ｏ１方向外側に所定の長さで主筋２ｂ、３ｂが突出して形成されており、一対のＰＣａ梁２、３をそれぞれＰＣａ柱１の所定位置に設置した状態で、一方のＰＣａ梁２の接合端面２ａから突出した主筋２ｂと他方のＰＣａ梁３の接合端面３ａから突出した主筋３ｂの一対の主筋２ｂ、３ｂが、先端部２ｃ、３ｃ同士を対向させるように配置される。
【００１５】
そして、本実施形態では、図２に示すように、このように対向配置した一対の主筋２ｂ、３ｂを、添え筋６を配筋して重ね継ぎ手７で接合する。添え筋６は、中央側に一対の主筋２ｂ、３ｂに沿うように直線状に形成された重ね継ぎ手部６ａと、両端部６ｂ側にそれぞれ重ね継ぎ手部６ａに対して折れ曲がる折曲部６ｃとを備えて略Ｕ字状に形成されている。また、本実施形態では、各折曲部６ｃが、２つの折曲点６ｄ、６ｅによって重ね継ぎ手部６ａ側の第１折曲部６ｆと添え筋６の端部６ｂ側の第２折曲部６ｇとを備えて形成されている。第１折曲部６ｆは、その延設方向が重ね継ぎ手部６ａの延設方向に斜めに交差するように形成され、第２折曲部６ｇは、その延設方向が重ね継ぎ手部６ａの延設方向に直交するように形成されている。このように形成した添え筋６は、重ね継ぎ手部６ａを一対の主筋２ｂ、３ｂに対して梁の断面方向外側に配置するとともにこれら一対の主筋２ｂ、３ｂに沿って重ね合わせるように配置し、折曲部６ｃを主筋２ｂ、３ｂと交差させて両端部６ｂをそれぞれ一対の主筋２ｂ、３ｂに対して梁の断面方向内側に配置するように設置される。このとき、折曲部６ｃは、第１折曲部６ｆが主筋２ｂ、３ｂと交差し、第２折曲部６ｇがＰＣａ梁２、３の接合端面２ａ、３ａに沿って配置される。
【００１６】
このように添え筋６を配筋した段階で、図３に示すように、一対のＰＣａ梁２、３の間に、すなわち互いに対向する接合端面２ａ、３ａの間に、両接合端面２ａ、３ａからそれぞれ突出した一対の主筋２ｂ、３ｂや添え筋６を埋設させるように現場打ちコンクリートＣを打設し、このコンクリートＣによって一対のＰＣａ梁２、３が接合される。
【００１７】
ここで、一対のＰＣａ梁２、３を接合する本実施形態のＰＣａ梁の接合構造Ａは、互いの接合端面２ａ、３ａから突出した一対の主筋２ｂ、３ｂと、略Ｕ字状に形成した添え筋６と、現場打ちコンクリートＣとによって構成される。
【００１８】
そして、上記のように構成した本実施形態のＰＣａ梁の接合構造Ａにおいては、一対のＰＣａ梁２、３の接合端面２ａ、３ａから突出した主筋２ｂ、３ｂ同士を添え筋６による重ね継ぎ手７で接合するようにした場合においても、梁に鉛直荷重が作用して引張応力、曲げ応力、せん断応力が発生した際に、主筋２ｂ、３ｂの先端部２ｃ、３ｃのカットオフ位置のコンクリートＣに生じる集中応力が添え筋６を通じてコンクリートＣの広範に分散される。すなわち、重ね継ぎ手部６ａを一対の主筋２ｂ、３ｂに対して梁の断面方向外側に配置して添え筋６が設置されていることで、主筋２ｂ、３ｂの先端部２ｃ、３ｃのカットオフ位置のコンクリートＣに生じる集中応力が添え筋６の重ね継ぎ手部６ａで受け止められ、このコンクリートＣに作用する集中応力を、添え筋６を通じてコンクリートＣの広範に分散することが可能になる。
【００１９】
また、添え筋６の折曲点６ｅがそれぞれ折曲部６ｃにより一対の主筋２ｂ、３ｂに対して梁の断面方向内側に配置されていることで、添え筋６の折曲点６ｅのコンクリートＣに生じる集中応力も、一対の主筋２ｂ、３ｂで受け止められてこれら一対の主筋２ｂ、３ｂを通じて広範のコンクリートＣに分散させることができ、第１折曲部６ｆや第２折曲部６ｇを通じて広範のコンクリートＣに分散させることが可能になる。
【００２０】
したがって、本実施形態のＰＣａ梁の接合構造Ａによれば、上記のように一対のＰＣａ梁２、３の接合端面２ａ、３ａから突出した一対の主筋２ｂ、３ｂの先端部２ｃ、３ｃや添え筋６の折曲点６ｅのコンクリートＣに生じる集中応力を、添え筋６や主筋２ｂ、３ｂを通じてコンクリートＣに分散させることが可能になるため、ＰＣａ梁２、３の接合端面２ａ、３ｂから突出する一対の主筋２ｂ、３ｂを添え筋６による重ね継ぎ手７で接合した場合においても、コンクリートＣのカットオフ位置にひび割れが集中して発生することを確実に防止でき、一対のＰＣａ梁２、３を好適に接合することが可能になる。
【００２１】
以上、本発明に係るプレキャストコンクリート梁の接合構造の実施形態について説明したが、本発明は上記の一実施形態に限定されるものではなく、その趣旨を逸脱しない範囲で適宜変更可能である。例えば、本実施形態では、添え筋６の折曲部６ｃが、２つの折曲点６ｄ、６ｅによって重ね継ぎ手部６ａ側の第１折曲部６ｆと添え筋６の端部６ｂ側の第２折曲部６ｇとを備えて形成され、第１折曲部６ｆが主筋２ｂ、３ｂと交差し、第２折曲部６ｇがＰＣａ梁２、３の接合端面２ａ、３ａに沿って配置されるものとしたが、添え筋６の折曲点６ｅを一対の主筋２ｂ、３ｂに対して梁の断面方向内側に配置するように形成され、添え筋６の折曲点６ｅのコンクリートＣに生じる集中応力を広範のコンクリートＣに分散できればよく、３つ以上の折曲点によって重ね継ぎ手部６ａに対して折り曲げて形成されてもよい。また、折曲部６ｃを円弧状に形成して添え筋６が略Ｕ字状に形成されていてもよい。さらに、第２折曲部６ｄが不要な場合には、１つの折曲点６ｄによって、折曲点６ｅの位置を添え筋６の端部とするように形成されてもよい。
【図面の簡単な説明】
【００２２】
【図１】本発明の一実施形態に係るプレキャストコンクリート梁の接合構造で接合するプレキャストコンクリート梁を柱に設置した状態を示す図である。
【図２】本発明の一実施形態に係るプレキャストコンクリート梁の接合構造の添え筋を設置した状態を示す図である。
【図３】本発明の一実施形態に係るプレキャストコンクリート梁の接合構造を示す図である。
【図４】従来のプレキャストコンクリート梁の接合構造を示す図である。
【図５】従来のプレキャストコンクリート梁の接合構造で接合した梁にひび割れが発生した状態を示す図である。
【符号の説明】
【００２３】
１      ＰＣａ柱（プレキャストコンクリート柱）
２      一方のＰＣａ梁（一方のプレキャストコンクリート梁）
２ａ    接合端面
２ｂ    主筋
２ｃ    先端部
３      他方のＰＣａ梁（他方のプレキャストコンクリート梁）
３ａ    接合端面
３ｂ    主筋
３ｃ    先端部
４      従来の添え筋
４ａ    端部
５      従来の重ね継ぎ手
６      添え筋
６ａ    重ね継ぎ手部
６ｂ    端部
６ｃ    折曲部
６ｄ    折曲点
６ｅ    折曲点
６ｆ    第１折曲部
６ｇ    第２折曲部
７      重ね継ぎ手
Ａ      プレキャストコンクリート梁の接合構造
Ｃ      コンクリート（現場打ちコンクリート）
Ｏ１    軸線
Ｓ      ひび割れ
【図１】
0004968683.tif 000002
【図２】
0004968683.tif 000003
【図３】
0004968683.tif 000004
【図４】
0004968683.tif 000005
【図５】
0004968683.tif 000006